(57)【要約】      （修正有）【課題】装着状態で圧迫感を感じることがなく、長時間装着しても苦にならず、しかも装着が容易迅速に行えるターバンウイッグを提供する。【解決手段】柔軟性と伸縮性を有する短筒状のターバン２と、ターバンに取り付けられるウイッグ３とからなるターバンウイッグである。ターバンにはその外周側上端部に、止着具６を周方向一定間隔おきに複数設け、ウイッグは、通気性のある毛材植設用ウイッグベース４の表面側全域に亘って多数の毛材５を植設し、それらの毛材がウイッグベースから放射状に延びるように形成したもので、ウイッグベースの裏面側にはターバン側の止着具６に取り外し可能に止着される被止着具７を周方向に間隔をおいて複数設け、ウイッグ側の被止着具をターバン側の止着具に止着させることにより、ウイッグをターバンの全周に亘って着脱可能に取り付ける。【選択図】図２
0003194016.tif 000002
【実用新案登録請求の範囲】
【請求項１】
柔軟性と伸縮性を有する短筒状のターバンと、このターバンに取り付けられるウイッグとからなるターバンウイッグであって、
ターバンにはその外周側上端部に、止着具を周方向に複数個設け、ウイッグは、通気性のある毛材植設用ウイッグベースの表面側全域に亘って多数の毛材を植設し、それらの毛 材が前記ウイッグベースから放射状に延びるように形成したもので、前記ウイッグベース の裏面側には、ターバン側の止着具に取り外し可能に止着される被止着具を周方向に複数個設け、ウイッグ側の被止着具をターバン側の止着具に止着させることによって、ウイッグをターバンの全周に亘って着脱可能に取り付けるようにしたターバンウイッグ。
【請求項２】
帯状の毛材植設片に複数の毛材を植設してなる部分ウイッグを、これの毛材植設片側に設けた被止着具を前記ターバン側に設けた前記止着具に止着させることにより、当該部分ウイッグをターバンの全周の一部に着脱可能に取り付けて、その毛材をターバンから下方へ垂らすようにしたした請求項１に記載のターバンウイッグ。
【請求項３】
前記止着具はゴム輪等のリング状部材からなり、前記被止着具は、バネ材からなる台枠部と、この台枠部の表面側に一体に形成されていて、台枠部をバネ材の弾性に抗してこれの表面側が凹むように曲げることにより台枠部に弾性的に密着し、その裏面側がバネ材の弾性に抗して凹むように曲げることにより台枠部から離間するバネ材からなる櫛歯状の挟持部と、からなるもので、台枠部の裏面側が凹んだ状態で前記挟持部を前記リング状部材に挿通した後、台枠部をその表面側が凹む状態に曲げることによってリング状部材を台枠部と挟持部との間で挟持するようにした請求項１又は２に記載のターバンウイッグ。
【考案の詳細な説明】
【技術分野】
【０００１】
本考案は、ターバンとこれに取り付けられるウイッグ（かつら）とからなるターバンウイッグに関するものである。
【背景技術】
【０００２】
抗ガン剤治療などにより頭部全体が脱毛している人の場合は、頭部全体を覆うウイッグが一般に使用されている。このように頭部全体を覆う従来のウイッグとして、例えば下記特許文献１に記載のものがある。このウイッグは、頭部全体を覆うウイッグ本体の内面に、サイズ調整可能なインナーキャップを着脱可能に設け、このインナーキャップの内周面の複数箇所に、使用者の頭部に密着するシリコンゴムシートを取り付けた構成となっている。
【先行技術文献】
【特許文献】
【０００３】
【特許文献１】特開２００４−３５３１２７号公報
【考案の概要】
【考案が解決しようとする課題】
【０００４】
上記従来のウイッグによれば、インナーキャップのサイズ調整を行うことにより、頭部の大きさの異なる人に適応でき、またインナーキャップの内周面のシリコンゴムシートが頭部に密着するため、安定した装着状態が得られる。
【０００５】
しかしながら、上記従来のウイッグは、次のような問題点がある。
(1).インナーキャップの内周面のシリコンゴムによって装着状態は安定するが、このシリコンゴムシートが頭部に密着するため、使用者には圧迫感を感じ、長時間装着するのが苦痛になる。
(2).装着に時間がかかる。例えば、ウイッグの使用者が家庭の主婦の場合で、ウイッグを付けないでいる時に郵便配達などの不意の訪問者があると、ウイッグの装着が間に合わなくなる。
(3).ウイッグ本体も高価であるが、これに使用するインナーキャップも、特殊な構造であるため高価となり、従ってウイッグ全体が高価となる。
【０００６】
本考案は、上記のような問題点に鑑み、装着状態で圧迫感を感じることがなく、長時間装着しても苦にならず、しかも装着が簡単容易に行え、そして安価に製作できるターバンウイッグを提供することを目的とする。
【課題を解決するための手段】
【０００７】
上記課題を解決するための手段を、後述する実施形態の参照番号を付して説明すると、請求項１に係る考案は、図１〜図６に示すように、柔軟性と伸縮性を有する短筒状のターバン２と、このターバン２に取り付けられるウイッグ３とからなるターバンウイッグであって、
ターバン２にはその外周側上端部に、止着具６を周方向に複数個設け、ウイッグ３は、通気性のある毛材植設用ウイッグベース４の表面側全域に亘って多数の毛材５を植設し、それらの毛材５が前記ウイッグベース４から放射状に延びるように形成したもので、前記ウイッグベース４の裏面側には、ターバン２側の止着具６に取り外し可能に止着される被止着具７を周方向に複数個設け、ウイッグ３側の被止着具７をターバン２側の止着具６に止着させることによって、ウイッグ３をターバン２の全周に亘って着脱可能に取り付けるようにしたことを特徴とする。
【０００８】
請求項２は、請求項１に記載のターバンウイッグにおいて、図７及び図８に示すように、帯状の毛材植設片１６に複数の毛材５を植設してなる部分ウイッグ１５を、これの毛材植設片１６側に設けた被止着具７を前記ターバン２側に設けた前記止着具６に止着させることにより、当該部分ウイッグ１５をターバン２の全周の一部に着脱可能に取り付けて、その毛材５をターバン２から下方へ垂らすようにしたしたことを特徴とする。
【０００９】
請求項３は、請求項１又は２に記載のターバンウイッグにおいて、前記止着具６はゴム輪等のリング状部材からなり、前記被止着具７は、バネ材からなる台枠部８と、この台枠部８の表面側に一体に形成されていて、台枠部８をバネ材の弾性に抗してこれの表面側が凹むように曲げることにより台枠部８に弾性的に密着し、その裏面側がバネ材の弾性に抗して凹むように曲げることにより台枠部８から離間するバネ材からなる櫛歯状の挟持部９と、からなるもので、台枠部８の裏面側が凹んだ状態で前記挟持部９を前記リング状部材６に挿通した後、台枠部８をその表面側が凹む状態に曲げることによってリング状部材６を台枠部８と挟持部９との間で挟持するようにしたことを特徴とする。
【考案の効果】
【００１０】
上記解決手段による考案の効果を、後述する実施形態の参照番号を付して説明すると、請求項１に係る考案によれば、ターバン２にウイッグ３を取り付けたターバンウイッグを使用者の頭部に装着するには、ターバンウイッグのターバン２をそのまま使用者の頭部Ｈに被せるだけでよいから、その装着時間は、装着位置の調整などを含めても、わずか数秒で済むことになる。従って、例えば、ターバンウイッグの使用者が家庭の主婦で、このターバンウイッグを付けないでいる時に郵便配達などの不意の訪問者があっても、容易迅速に装着できるから、訪問者を玄関等で待たせることなく、即時に気持ち良く応対することができ、また家事などで動くことによって、ウイッグ３も動いてウイッグ３に表情ができるので、自然な髪の流れを演出できる。また、汚れるのはほとんどターバン２であるから、ウイッグ３を外してターバン２だけを洗濯すればよく、その洗濯もきわめて容易である。また、ターバン２は、構造が簡単で、安価に入手できるから、ターバンウイッグの製品コストを安くできる。更に、このターバンウイッグでは、カラーやデザインの異なる色々なターバン２で楽しむことができる。更にまた、ウイッグベース４は通気性を有するから、装着時に頭部が蒸れることがなく、装着し易い。
【００１１】
請求項２に係る考案によれば、ターバン２に、ウイッグ３と、一つ又は複数の部分ウイッグ１５とを取り付けることによって、パターンの異なる色々な髪形を楽しむことができる。
【００１２】
請求項３に係る考案によれば、止着具６はゴム輪等のリング状部材からなるため、ターバン２への止着具６の取付けが簡単容易となる。被止着具７は、その台枠部８をバネ材の弾性に抗してこれの表面側が凹むように曲げるだけで、櫛歯状挟持部９が台枠部８に弾性的に密着して閉鎖し、また台枠部８をその裏面側がバネ材の弾性に抗して凹むように曲げるだけで、櫛歯状挟持部９が台枠部８から離間して開放するから、開閉操作が簡単且つ容易で、止着具６に対する被止着具７の止着操作を容易迅速に行うことができる。
【図面の簡単な説明】
【００１３】
【図１】本考案の一実施形態によるターバンウイッグの使用状態を示す全体斜視図である。
【図２】(a) は上記ターバンウイッグにおけるウイッグを示す外観斜視図、(b) は同ウイッグの裏側を示す裏面図、(c) はターバンを示す全体斜視図である。
【図３】上記ターバンにウイッグを取り付けたターバンウイッグを使用者の頭部に被せようとしている状態を示す斜視図である。
【図４】(a) は被止着具をその表側から見た斜視図、(b) は同被止着具の左側面図、(c) は同被止着具の底面図である。
【図５】(a) は上記被止着具を裏側から見た斜視図、(b) は同被止着具の左側面図、(c) は同被止着具の底面図である。
【図６】(a) はターバンにウイッグを取り付けようとしている状態の斜視図、(b) はウイッグ側の被止着具の櫛歯状挟持部をターバン側の止着具であるゴム輪に挿通しようとしている状態を示す斜視図である。
【図７】ターバンウイッグのターバンにウイッグと共に部分ウイッグを取り付けた状態を示す外観斜視図である。
【図８】(a) はターバンに部分ウイッグを取り付けた状態の斜視図、(b) は部分ウイッグを平面状に展開した状態の正面図、(c) は部分ウイッグ側の被止着具の櫛歯状挟持部をターバン側の止着具であるゴム輪に挿通している状態の斜視図である。
【考案を実施するための形態】
【００１４】
以下に本考案の好適な実施形態について図面を参照しながら説明すると、図１及び図２に示すように、本考案に係るターバンウイッグ１Ａは、柔軟性及び伸縮性を有する短筒状のターバン２と、このターバン２に着脱可能に取り付けられるウイッグ３（かつら）とによって構成される。
【００１５】
ターバン２は、製作方法については、詳細な図示を省略するが、例えば、筒状体に編成されたパイルニット生地を、その筒状体の長さが半分になるよう二つ折りにして、その二つ折りにした合わせ端部を縫合することにより、二重筒状体とした柔軟性及び伸縮性のある短筒状ターバンを形成することができる。あるいは、柔軟性及び伸縮性のある帯状の生地の両端部を縫合して一重の短筒状体とすることによりターバン２を形成することができる。尚、このような短筒状ターバン２としては、材質、サイズ及びデザインが夫々豊富で安価で販売されている市販品を使用することができる。この短筒状のターバン２は、筒状体の長さであるターバン幅が１１ｃｍ以上のものが好ましいが、勿論この幅に限定することはない。
【００１６】
このターバン２には、図２の(c) に示すように、その外周側上端部に、止着具６を周方向に一定間隔おいて複数個、例えば周方向に３０°間隔おきに１２個配設している。この実施形態においては、止着具６としてゴム輪を使用し、このゴム輪６は、図２の(c) や図６の(a) ，(b) に示すように、その所要部を糸２１でターバン２に縫い付けて固定している。尚、止着具６としては、ゴム輪に限らず、布地で紐状体を形成し、この紐状体をリング状に形成したリング状部材からなるものを使用できるし、またリング状部材に限ることはなく、布地などで矩形片に形成して、被止着具７の台枠部８と櫛歯状挟持部９とで挟持固定できるようにしたものであればよい。
【００１７】
ウイッグ３は、図２の(a) ，(b) に示すように、通気性を有する毛材植設用ウイッグベース４の表面側全域に亘って多数の毛材５を植設し、それらの毛材５が毛材植設用ウイッグベース４から放射状に延びる（図２の(b) 参照）ように形成したもので、毛材植設用ウイッグベース４の裏面側には、ターバン２側の止着具６に取り外し可能に止着される被止着具７を周方向に一定の間隔をおいて複数個、例えば周方向に１２０°間隔おきに３個配設し、ウイッグ３側の被止着具７をターバン２側のゴム輪６（止着具）に止着させることによって、ウイッグ３をターバン２の全周に亘って着脱可能に取り付けるようにしている。
【００１８】
図２の(a) 〜(c) に示すように、ウイッグ３の毛材植設用ウイッグベース４は、メッシュ材料を含む通気性の良好な生地よって、短筒状ターバン２の上端側開口部を塞ぐような円形状に形成されている。毛材５は、人工毛髪で、その材料は特に限定されず、化学繊維や天然素材などを用いることができる。化学繊維としては、例えば、ポリエステル繊維、モダクリル繊維などが挙げられる。また、毛材植設用ウイッグベース４に対する毛材５の植毛方法も、特に限定されることはなく、例えば、一般的にかつらを作製する時に行われる方法で行うことができる。この場合、毛材植設用ウイッグベース４は、通気性の良好な生地で形成されているから、装着時に頭部が蒸れるようなことがなく、装着し易い。
【００１９】
次に、毛材植設用ウイッグベース４の裏面側に設けられる被止着具７について図４及び図５によって説明する。この被止着具７は、鋼板などの硬弾性材料のバネ材によって形成されたもので、横長矩形状の台枠部８と、この台枠部８の表面側に一体に形成されていて、台枠部８をバネ材の弾性に抗してこの台枠部８の表面側が凹むように曲げることにより台枠部８に対し弾性的に密着し、その裏面側がバネ材の弾性に抗して凹むように曲げることにより台枠部８から離間するバネ材からなる櫛歯状の挟持部９と、からなり、しかして図４に示すように台枠部８の裏面側が凹んだ状態で挟持部９を前記ゴム輪６（止着具）に挿通した後、図５に示すように台枠部８をその表面側が凹む状態に曲げることによりゴム輪６を台枠部８と櫛歯状の挟持部９との間で挟持するようにしている。
【００２０】
被止着具７の台枠部８は、夫々一対の長辺部１０，１１と短辺部１２，１３とを有し、一方の長辺部１１には、櫛歯状の挟持部９が他方の長辺部１０を越えるように一体に突出形成されている。また、両短辺部１２，１３には、台枠部８を毛材植設用ウイッグベース４に糸２２（図２の(b) 参照）を通して縫い付けるための孔１４が夫々複数設けられている。
【００２１】
図４の(a) 〜(c) は、被止着具７の台枠部８をバネ材の弾性に抗してこの台枠部８の裏面側が凹むように曲げる、つまり台枠部８が裏面側へ反り返るように曲げることにより、櫛歯状の挟持部９が台枠部８の長辺部１０から離間した開放状態にあることを示し、また図５の(a) 〜(c) は、台枠部８をバネ材の弾性に抗してこの台枠部８の表面側が凹むように曲げる、つまり台枠部８がその表面側へ反り返るように曲げることによって、櫛歯状の挟持部９が台枠部８の長辺部１０に対し弾性的に密着した閉鎖状態にあることを示している。
【００２２】
図６は、上述したような止着具６と被止着具７とを使用してウイッグ３をターバン２に取り付けようとしている状態を示す。この場合、ターバン２にはゴム輪からなる止着具６を周方向に３０°間隔おきに１２個設けており、ウイッグ３には台枠部８と挟持部９とからなる被止着具７を３個設けているから、ウイッグ３側の３個の被止着具７，７，７を、ターバン２側の１２個の止着具６・・・のうちの対応する位置にある３個に夫々止着させればよい。
【００２３】
ウイッグ３側の被止着具７をターバン２側の止着具６に止着するには、図６の(b) に示すように、被止着具７を図４に示すような開放状態にセットした状態から、この被止着具７の櫛歯状挟持部９を、図６の(b) の仮想線図示のように止着具６（ゴム輪）にその下方から挿通し、その後、被止着具７の台枠部８を図５に示すように表面側へ反り返るように曲げて、被止着具７を台枠部８に弾性的に密着し閉鎖状態とすることにより、被止着具７を止着具６に止着する。こうしてウイッグ３側の被止着具７をターバン２側の止着具６に止着することによって、ウイッグ３をターバン２に対し簡単且つ容易に取り付けることができる。この被止着具７は、その台枠部８をバネ材の弾性に抗してこれの表面側が凹むように曲げるだけで、櫛歯状挟持部９が台枠部８に弾性的に密着して閉鎖し、また台枠部８をその裏面側がバネ材の弾性に抗して凹むように曲げるだけで、櫛歯状挟持部９が台枠部８から離間して開放するから、開閉操作が簡単容易で、止着具６に対する被止着具７の止着操作を容易迅速に行うことができる。
【００２４】
上記のようにしてターバン２にウイッグ３を取り付けたターバンウイッグ１Ａを使用者の頭部に装着するには、図３に示すように、ターバンウイッグ１のターバン２をそのまま使用者の頭部Ｈに被せるだけでよいから、その装着時間は、装着位置の調整などを含めても、わずか数秒で済むことになる。従って、ターバンウイッグ１Ａの使用者が家庭の主婦で、このターバンウイッグ１Ａを付けないでいる時に郵便配達などの不意の訪問者があっても、容易迅速に装着できるから、訪問者を玄関で待たせることなく、即時に迎え入れて、気持ち良く応対することができる。また、家事などで動くことにより、ウイッグ３も動いてウイッグ３に表情ができるので、自然な髪の流れを演出するこができる。また、汚れるのはほとんどターバン２であるから、ウイッグ３を外してターバン２だけを洗濯すればよく、その洗濯もきわめて容易である。また、ターバン２は、構造が簡単で、安価に入手できるから、ターバンウイッグの製品コストを安くできる。更に、このターバンウイッグでは、カラーやデザインの異なる色々なターバン２で楽しむことができる。
【００２５】
図７は、ターバン２にウイッグ３を取り付けると共に、このターバン２に部分ウイッグ１５を取り付けたターバンウイッグ１Ｂの実施形態を示しており、このターバンウイッグ１Ｂのターバン２は、図１〜図６に示すターバンウイッグ１Ａのターバン２と同じものである。
【００２６】
上記部分ウイッグ１５は、図８の(b) に示すように、例えば布地からなる帯状の毛材植設片１６に、ウイッグ３の毛材５よりも可なり長い複数の毛材５を植設したもので、この毛材植設片１６には、前記ターバンウイッグ１Ａのウイッグ３に設けたものと同じ被止着具７が複数個、例えば２個設けてあり、図８の(a) に示すように、この被止着具７をターバン２に設けてある止着具６に止着させることによって、部分ウイッグ１５をターバン２の全周の一部に着脱可能に取り付けて、その毛材５をターバン２から下方へ垂らすようにしている。この実施形態では、二つの部分ウイッグ１５，１５をターバン２に取り付けたものとする。
【００２７】
上記部分ウイッグ１５は、それ単独では使用せず、図２の(a) ，(b) に示すウイッグ３と共に使用するもので、ウイッグ３に設けている複数個、例えば３個の被止着具７，７，７を、ターバン２に設けてある複数個、例えば１２個の止着具６・・・のうちの対応する位置にある３個に夫々止着させて、ウイッグ３をターバン２に取り付けた後、各部分ウイッグ１５に設けてある複数個、例えば２個の被止着具７，７を、ターバン２側の残りの止着具６・・・の何れか所望の止着具６，６に取り付けることにより、ターバン２にウイッグ３と部分ウイッグ１５とを図７に示すように取り付けることができる。この場合、部分ウイッグ１５をターバン２の後半部側に取り付けることで、後ろ髪が長くなるようにしている。
【００２８】
尚、図８に示すターバンウイッグ１Ｂに設けられる止着具６及び被止着具７の構造については、図４及び図５によって説明したのと同じであるが、部分ウイッグ１５の止着具６に対する被止着具７の止着方法については、図８の(c) に示すように、被止着具７を図４に示すような開放位置にセットした状態から、この被止着具７の櫛歯状挟持部９を、図８の(c) の仮想線図示のように止着具６（ゴム輪）にその上方から挿通した後、被止着具７の台枠部８を表面側へ反り返るように曲げて（図５参照）、被止着具７を閉鎖状態とすることによって、被止着具７を止着具６に止着する。こうしてウイッグ３側の被止着具７をターバン２側の止着具６に止着することにより、部分ウイッグ１５をターバン２に対して簡単容易に取り付けることができる。
【００２９】
このターバンウイッグ１Ｂの部分ウイッグ１５は、長さや形状が異なる種々のパターンの複数の部分ウイッグ１５を使用することができる。即ち、部分ウイッグ１５としては、同じパターンのもの又は異なるパターンのものを複数用意して、それらを適宜に取り換えてターバン２に取り付けることで、ターバン２の全周に亘って取り付けるウイッグ３との組み合せによって、ターバンウイッグ１Ｂの色々な髪形を楽しむことができる。
【符号の説明】
【００３０】
１Ａ，１Ｂ      ターバンウイッグ
２              ターバン
３              ウイッグ
４              毛材植設用ウイッグベース
５              毛材
６              止着具
７              被止着具
８              台枠部
９              挟持部
１０，１１      長辺部
１２，１３      短辺部
１４            孔
１５            部分ウイッグ
１６            毛材植設片
【図１】
0003194016.tif 000003
【図２】
0003194016.tif 000004
【図３】
0003194016.tif 000005
【図４】
0003194016.tif 000006
【図５】
0003194016.tif 000007
【図６】
0003194016.tif 000008
【図７】
0003194016.tif 000009
【図８】
0003194016.tif 000010